(57)【要約】      （修正有）【課題】鉛筆をかなり短い長さまで経済的にしかも快適に使用できる鉛筆延長器具を提供する。【解決手段】鉛筆よりもわずかに大きいパイプの内面に小さな突起を付け、鉛筆をパイプに差し込んだときに突起が鉛筆に食い込んで、鉛筆が鉛筆自体の弾力により固定される。この延長器具は、鉛筆のがたつきがなく使用感が良く、かなり短くなるまで鉛筆を使用でき製作が簡単である。【選択図】図１
0003148147.tif 000002
【実用新案登録請求の範囲】
【請求項１】
短くなった鉛筆にパイプ状の延長器具を取り付けて寿命を延ばす工夫をしたもので、内径が該鉛筆の直径よりもわずかに大きいパイプの内側に突起を付け、該鉛筆を該延長器具のパイプに挿入した時に該突起が該鉛筆の外周にわずかに食い込み鉛筆自体の弾性により該鉛筆を固定した鉛筆延長器具。
【請求項２】
パイプ状の鉛筆延長器具において、該鉛筆延長器具の後端を開放にして、円柱形の消しゴムを挟んだＵ型冶具を該後端解放部より差し込んで、該消しゴムの弾性と該Ｕ型冶具の弾性で該Ｕ型冶具および該消しゴムを固定し、さらに、該Ｕ型冶具口部の先端に淵のそり返しを設けた鉛筆延長器具。
【考案の詳細な説明】
【技術分野】
【０００１】
短い鉛筆も延長して使用できる延長器具に関するもの。
【背景技術】
【０００２】
鉛筆延長器具として、従来からある物は、図２と図３に示すもので、先端が開き、後端が閉じた金属製パイプ５とキャップ６からなる。鉛筆は、キャップ６をゆるめて金属製パイプ５の先端より差し込んで適当な長さのところでキャップ６を締めて固定するようになっている。金属製パイプ５の先端には２〜３の切れ目が入っており、キャップ６をねじ込むと切れ目の先端部分で鉛筆を挟み込み鉛筆を固定するようになっている。この方法では、切れ目の部分を締め込んだときの内径がちょうど鉛筆の外形の大きさになるように作る必要があり、切れ目と連結している金属製パイプ５は締め込み代を取る必要があることから、パイプの内径は鉛筆外径よりも大きく通常９．５ミリメートル程度である。鉛筆の外径は７．７５ミリメートル程度であるので、１．７５ミリメートルの隙間がある。このため、使用時に鉛筆ががたつき手の感触が悪い。また、この方法では鉛筆を固定する部分に切れ目が入っているので鉛筆が短くなってくるとぐらつきが大きくなりあまり短いところまでは使用できない。
【０００３】
また、本考案者が過去に出願した実用新案（登録第３０７２９３５号）は、図４に示すもので、延長器具を２重のパイプにし、外パイプ８をスライドさせることにより、内パイプ７に取り付けた爪９を鉛筆の外周に押しつけ食い込ませて鉛筆を固定する。内側のパイプは鉛筆ががたつかないように、鉛筆の外径よりわずかに大きいものを使用する。先端に出ている鉛筆の部分を延ばすときは、外パイプ８を上にずらし、爪９を開放し、鉛筆の先端を手で引っ張るか、または
内パイプ７の後端より細い棒または鉛筆などを挿入して押す。これにより、鉛筆が下向きに動き、爪９を外側に押す力が働くので爪９が鉛筆より外れ、適当な長さまで押し出すことができる。その後、外パイプ８を下へずらし元に戻すと爪９は再び鉛筆に食い込み鉛筆を固定する。この考案は、パイプ内径８ミリメートルと鉛筆外径７．７５ミリメートルとの直径差が０．２５ミリメートルとなり、かなり厳しく取れるので、鉛筆のがたつきがなく持った感触が良い。また、鉛筆を延長器具に差し込む部分の長さが１．５センチメートルあれば十分であるので、電動鉛筆削りを使用する場合で６．５センチメートル、ナイフを使用する場合で４センチメートルの長さまで鉛筆が使用でき、前記の従来品よりも１〜１．５センチメートル短く鉛筆が使用できる。しかし、この考案は構造が複雑で、製作に手間がかかる問題がある。
【考案の開示】
【考案が解決しようとする課題】
【０００４】
手の大きさにもよるが鉛筆は通常１２センチメートル程度の長さになると使いづらい。無理をして使えば９センチメートルくらいまで使える。しかし、新品の鉛筆の長さは１７．５センチメートルしかないので半分も利用されていないことになる。鉛筆が手に持てなくなる程度まで短くなると使用できなくなるこの欠点を補い、かなり短い長さまで経済的に使用できるようにする。
【０００５】
従来の延長器具（図２、図３）で鉛筆が使用できる最短長さは、電動鉛筆削り装置を使用する場合、装置に入る部分の長さが５センチメートル程度必要で、延長器具へ差し込む部分の長さが２．５センチメートル程度必要であるので、合計７．５センチメートルまでである。ナイフで鉛筆を削る場合は削る部分の長さが３センチメートル程度で、この場合、合計５．５センチメートルまで鉛筆が使用できる。
【０００６】
本考案者の前記の延長器具（図４）では、電動鉛筆削りを使用する場合で６．５センチメートル、ナイフを使用する場合で４センチメートルの長さまで鉛筆が使用できる。また、本考案品は、前記の延長器具（図４）と同様に、電動鉛筆削りを使用する場合で６．５センチメートル、ナイフを使用する場合で４センチメートルの長さまで鉛筆が使用できるので従来品（図２、図３）よりも１〜１．５センチメートル短く鉛筆が使用できるほか、前記の延長器具（図４）よりも構造が簡単で製作に手間がかからない。
【課題を解決するための手段】
【０００７】
請求項１の本考案の構造を図１に基づき説明すると、両端開放のパイプ２の内部に鉛筆が入る。断面が六角形の鉛筆では、通常、頂点の部分の直径は７．７５ミリメートル、辺の部分の直径は７．１５〜７．２ミリメートル、赤鉛筆のような円形断面の鉛筆では直径は７．７５ミリメートルである。パイプ２の内径は鉛筆より０．２５ミリメートル大きい８ミリメートルである。このパイプの先端から約１センチメートルのところにパイプの内面に小さな突起を付ける。この突起の先端と対壁との距離は鉛筆の直径よりわずかに小さい７．５ミリメートルである。このパイプの先端解放部より鉛筆を差し込むと突起に当たり、少し抵抗があるが、さらに力を入れて押し込むと木製の鉛筆外周が窪み、木の弾力性により鉛筆は固定される。固定の強さは延長器具を付けた状態で筆記しても容易に動かない程度に固定される。
【０００８】
本考案の延長器具を取り付けた鉛筆を強く紙に押し付けて筆記する時、鉛筆が動き、鉛筆が延長器具の内部へ少し押し込まれることもあるが、普通の使用では動くことはない。また、鉛筆の長さを調整するために何度が抜き差しする内に鉛筆外周の軸方向に突起の溝が残り次第に溝が大きくなり鉛筆の固定が緩くなることも考えられるが、その時は延長器具を動かさないで鉛筆を周方向に少し回転させることにより突起が鉛筆外周の新しい箇所に移り鉛筆は固定される。本考案では、延長器具へ差し込む部分の長さが１．５センチメートル程度必要であるので、電動鉛筆削りを使用する場合、先端の鉛筆部分の長さが５センチメートル程度必要であり、合計６．５センチメートルの長さまで鉛筆が使用できる。ナイフで鉛筆を削る場合は削る部分の長さが２．５センチメートル程度でよいので。この場合、合計４センチメートルの長さまで鉛筆が使用できる。
【０００９】
パイプの材質は、ステンレス、鉄、アルミニウム、銅等の金属でも良く、プラスチックでもよい。内部にわずかな突起を付けられるものなら何でも良い。
【００１０】
延長器具の後端は閉塞でも、解放でも良い。誤って、鉛筆を深く差しこみ過ぎた場合、後端を解放にしておくことにより、後端より別の鉛筆または細い棒で突いて鉛筆を押し出すことが出来る。
【００１１】
パイプ内面の突起の作り方は、パイプをペンチ等の道具を使用して挟みパイプ外周をへこませることにより作ることができる。パイプの内部に、直径７．５ミリメートルの金属棒を入れて支えた状態で外部より挟み込むことによりへこませ過ぎないようにすることができる。他には、先端開口部より小さな物体を内面に溶接または接着する方法もある。または、パイプ製造時にあらかじめ内面に突起を付ける方法もある。
【００１２】
突起の位置は、鉛筆が入る部分のどこでも良いが、出来るだけ短い鉛筆でも使えるように、先端開口部から０．５〜２センチメートルの距離の位置が適当である。
【００１３】
請求項２は、延長器具の後端を解放にして消しゴムを付ける考案である。消しゴムの固定方法の一例を図５、図６、図７に示す。Ｕ型冶具１０の間に円柱形の消しゴム１４を挟み延長器具のパイプ２の後端解放部より差し込む。Ｕ型冶具１０の底部１２は延長器具のパイプ２の内径よりわずかに小さく、口部１３は少し大きくし、円柱形の消しゴム１４の直径はＵ型冶具１０の底部の幅より少し大きいものを使用することにより、消しゴムの弾性で延長器具に差し込んでＵ型冶具１０および消しゴム１４を、共にしっかりと固定することができる。また、Ｕ型冶具１０の口部１３の先端には淵のそり返し１１があり、延長器具に差し込んだときこの部分が延長器具の後端に引っ掛かり入り過ぎないようになっている。消しゴム１４が使用して短くなった時は、Ｕ型冶具１０を延長器具のパイプ２から抜き出し、消しゴム１４を必要長さ分だけＵ型冶具１０から引き出した後、再度、Ｕ型冶具１０と一緒にパイプ２に差し込む。
【考案の効果】
【００１４】
本考案では従来品に比べ、延長器具のパイプと鉛筆の隙間をかなり小さく取れるので、鉛筆のがたつきが少ない。また、差し込む部分の長さが１．５センチメートルあれば十分であり、１７．５センチメートルの長さの新しい鉛筆が、最短４センチメートルの長さまで、すなわち、新しい鉛筆の４分の１以下の長さまで使用できる。また、構造が簡単で製作の手間がかからない。
【図面の簡単な説明】
【００１５】
【図１】本考案品の外形図
【図２】従来品外形図
【図３】従来品分解図
【図４】本考案者の従来品外形図
【図５】Ｕ型冶具外形図
【図６】Ｕ型冶具に消しゴムを挟んだ状態図
【図７】鉛筆延長器具に消しゴムを取り付けた状態図
【符号の説明】
【００１６】
１． 鉛筆
２． パイプ
３． 突起
４． 窪み
５．金属性パイプ
６．キャップ
７．内パイプ
８．外パイプ
９． 爪
１０．Ｕ型冶具
１１．淵のそり返し
１２．底部
１３．口部
１４．消しゴム
【図１】
0003148147.tif 000003
【図２】
0003148147.tif 000004
【図３】
0003148147.tif 000005
【図４】
0003148147.tif 000006
【図５】
0003148147.tif 000007
【図６】
0003148147.tif 000008
【図７】
0003148147.tif 000009
【手続補正書】
【提出日】平成20年9月16日(2008.9.16)
【手続補正１】
【補正対象書類名】実用新案登録請求の範囲
【補正対象項目名】請求項２
【補正方法】変更
【補正の内容】
【請求項２】
パイプ状の鉛筆延長器具において、該鉛筆延長器具の後端を開放にして、円柱形の消しゴムを挟んだＵ型冶具を該後端解放部より差し込んで、該消しゴムの弾性と該Ｕ型冶具の弾性で該Ｕ型冶具および該消しゴムを固定し、さらに、該Ｕ型冶具口部の先端に淵のそり返しを設けたことを特徴とする請求項１記載の鉛筆延長器具。
【手続補正書】
【提出日】平成20年12月14日(2008.12.14)
【手続補正１】
【補正対象書類名】図面
【補正対象項目名】全図
【補正方法】変更
【補正の内容】
【図１】
0003148147.tif 000010
【図２】
0003148147.tif 000011
【図３】
0003148147.tif 000012
【図４】
0003148147.tif 000013
【図５】
0003148147.tif 000014
【図６】
0003148147.tif 000015
【図７】
0003148147.tif 000016